(57)【特許請求の範囲】
【請求項１】
画像が記録された写真フィルムから電子画像を生成する電子画像生成手段と、
前記電子画像と前記写真フィルムの情報とを結合して電子ファイルを作製する電子ファイル制作手段と、
前記写真フィルムを保管するフィルム管理手段と、
前記電子ファイルを電子的に保存する電子ファイルデータベースと、
前記電子ファイルデータベースに保存された電子ファイルを、通信ネットワークを経由して、前記電子画像の依頼元の通信端末に伝送する転送手段と、
前記依頼元の通信端末から送信された前記写真フィルムの焼き増しの依頼を、前記通信ネットワークを介して受け付けると共に、前記依頼元の通信端末から通信ネットワークを介して送られた前記電子ファイルを所持した前記依頼元の通信端末以外の通信端末が伝送する前記写真フィルムの焼き増しの依頼についても、前記通信ネットワークを介して受け付けるフィルムデータ制御手段と、
前記電子ファイルを所有する利用者からの依頼に応じて、前記電子ファイルの画像に対応する前記写真フィルムの焼き増しを行う焼き増し手段とを有する
画像ファイルシステム。
【請求項２】
撮影済みのフィルムを受け入れるとともに前記撮影済みのフィルムに関するデータを作製する受け入れ部と、
前記撮影済みのフィルムを現像する現像部と、
現像されたフィルムの画像を電子画像に変換する電子画像部と、
前記電子画像と前記撮影済みのフィルムに関するデータとを結合して電子ファイルを制作する電子ファイル制作部と、
前記電子ファイルを保管する電子ファイルデータベースと、
前記現像されたフィルムと前記撮影済みのフィルムに関するデータとを結合して保管管理するフィルム管理部と、
焼き増しの依頼を、通信ネットワークを介して受け付けるフィルムデータ制御部と、
前記電子ファイルデータベースに保存された電子ファイルを、通信ネットワークを経由して、前記電子画像の依頼元の通信端末に伝送する転送部と、
前記依頼元の通信端末から送信された前記フィルムの焼き増しの依頼を、前記通信ネットワークを介して受け付けると共に、前記依頼元の通信端末から通信ネットワークを介して送られた前記電子ファイルを所持した前記依頼元の通信端末以外の通信端末が伝送する前記フィルムの焼き増しの依頼についても、前記通信ネットワークを介して受け付け、前記焼き増しの依頼に応じて前記フィルム管理部に保管されている前記撮影済みのフィルムから焼き増しを行う焼き増し部とよりなる
画像ファイルシステム。
【発明の詳細な説明】
【０００１】
【発明の属する技術分野】
本発明は、画像が記録された写真フイルムから電子画像を生成し、これに撮影日や場所等の付加情報を添付すして電子データとして保存管理し、又付加情報が添付された電子データを必要な場所に伝送するようにした画像ファイルシステムに関する。
【０００２】
【発明が解決しようとする課題】
従来のフィルム画像の管理は、カメラ等で撮影したフィルムを現像し、写真とフィルムを管理しながら、写真を見て焼き増しが必要な場合は対応するフイルムを写真取扱店に持っていって焼き増しの依頼をしていた。写真とフイルムの対応を取るためにはアルバム等できちんとした管理をする必要があった。
【０００３】
また、結婚式や卒業式での写真撮影のように、映っている人に対して希望の写真の確認を取るためには写真を収めたミニアルバムを回覧したり、撮影者が独断で焼き増し写真を決めたりしていた。
このため、写真のフィルムの管理には手間がかかり、特に年月が経つとフィルムの数が多くなり充分な管理を行うことが難しくなる。
【０００４】
【従来の技術】
最近では、デジタルスチルカメラ等により直接デジタル画像を扱うことが行われているが、写真に比べると明らかに劣った解像度の画像しか得ることができなかった。又、写真を電子データとして管理する方法が，特開平８−６３４８６号公報に示されている。この内容は写真を電子データに変換して画像データとして光ディスク等の記録媒体に記録して管理する方法である。しかしながらこの管理方法は，単に写真の画像を電子ファイルとして管理しているだけで元の写真のネガとの対応が取れていないために，写真の焼き増し等を行う場合には従来と同様の煩雑な手続きが必要であった。
【０００５】
【課題を解決するための手段】
本発明は、画像が記録された写真フィルムから電子画像を生成する電子画像生成手段と、電子画像と写真フィルムの情報とを結合して電子ファイルを作製する電子ファイル制作手段と、写真フィルムを保管するフィルム管理手段と、電子ファイルを電子的に保存する電子ファイルデータベースと、電子ファイルデータベースに保存された電子ファイルを、通信ネットワークを経由して、電子画像の依頼元の通信端末に伝送する転送手段と、依頼元の通信端末から送信された写真フィルムの焼き増しの依頼を、通信ネットワークを介して受け付けると共に、依頼元の通信端末から通信ネットワークを介して送られた電子ファイルを所持した依頼元の通信端末以外の通信端末が伝送する写真フィルムの焼き増しの依頼についても、通信ネットワークを介して受け付けるフィルムデータ制御手段と、電子ファイルを所有する利用者からの依頼に応じて、電子ファイルの画像に対応する写真フィルムの焼き増しを行う焼き増し手段とを有するものである。
【０００６】
これにより電子画像を所有する利用者からの依頼に応じて、電子画像に対応する写真フィルムの焼き増しを行うことができるような画像ファイルシステムを実現して、写真フィルムと管理を電子画像のデータと対応させて行うようにして、上記のような写真フィルムの管理上の問題点を解消するようにしたものである。
【０００７】
【発明の実施の形態】
【実施例】
図１は本発明の画像ファイルシステムのフィルム画像の処理部分の構成を示す説明図である。
図１において、ＣＡはカメラ、ＦＩはカメラＣＡにより撮影されたフィルムである。  ＲＣは撮影済みのフィルムの受け入れ部である。Ｄは撮影済みのフィルムに関する各種のデータである。
【０００８】
ＤＶは撮影済みのフィルムを現像する現像部、Ｆは現像されたフィルムである。ＩＭは現像されたフィルムの画像を電子画像に変換する電子画像部である。ＩＰは電子ファイル制作部で、電子画像部ＩＭ で作製された電子画像と撮影済みのフィルムに関する各種のデータＤとを結合して電子ファイルを制作する。ＩＤは電子ファイルデータベースで、電子ファイル制作部ＩＰで作製された電子ファイルを保管する。ＴＲは転送部で電子ファイル制作部ＩＰで作製された電子ファイルをネットワークに送り出す端末機能を持っている。
【０００９】
ＦＣはフィルムデータ制御部でユーザーからの焼き増し等の依頼を受け付ける。ＩＮＴインターネット等の汎用の通信ネットワークである。
ＦＢはフィルム管理部で、現像されたフィルムＦと撮影済みのフィルムに関する各種のデータＤとを結合して保管管理する。ＦＤは焼き増し部で、フィルム管理部ＦＢに保管されている撮影済みのフィルムから焼き増しを行う。ＭＬは郵便等による輸送手段を示す。
【００１０】
このような構成を有する画像の処理部分の動作を説明すると次の通りである。
カメラＣＡにより撮影されたフィルムＦＩは撮影が終了するとカメラより取り出され現像処理を行うために、カメラ店等の撮影済みのフィルムの受け入れ部ＲＣに持参される。
【００１１】
撮影済みのフィルムの受け入れ部ＲＣではフィルムＦＩの現像を受け付けると同時に、フィルムＦＩを処理するために必要なフィルムデータＤを作製する。
このフィルムデータＤの具体例を図３に示す。フィルムデータＤはフィルムＦＩを処理するためにシステムが必要な識別コード１とアルバムの作製に必要なファイル情報２とフィルムＦＩの現像の依頼者に関するユーザー情報３とにより構成されている。識別コード１にはフィルム管理部ＦＢのアドレスに対応するものが含まれている。
【００１２】
ファイル情報２は写真のタイトル１１、撮影日１２等の撮影に関すデータである。ユーザー情報３は依頼者の住所３１、電話番号３２、電子メールアドレス３３等の依頼者に関するデータである。
フィルムの受け入れ部ＲＣに受け入れられたフィルムＦＩは現像部ＤＶにまわされてここで現像が行われる。又、フィルムの受け入れ部ＲＣで作製された図３に示すような内容のフィルムデータＤは電子ファイル制作部ＩＰとフィルム管理部ＦＢに送られる。
【００１３】
現像部ＤＶで現像されたフィルムＦＩの画像は電子画像部ＩＭに送られて電子画像に変換される。電子画像部ＩＭでは電子画像への変換の済んだフィルムＦＩをフィルム管理部ＦＢに送るとともに、変換された電子画像を電子ファイル制作部ＩＰに送る。フィルム管理部ＦＢでは電子画像部ＩＭより送られてきたフィルムＦＩをこのフィルムデータＤとともに保管し管理する。
【００１４】
又、電子ファイル制作部ＩＰでは電子画像部ＩＭより送られてきた電子画像をフィルムデータＤのファイル情報２と組み合わせて、写真のタイトル１１、撮影日１２等の撮影に関すデータの入ったアルバム状に整理された電子データによる画像フアィルが作成される。
【００１５】
電子ファイル制作部ＩＰで作製された電子データによる画像フアィルは電子ファイルデータベースに送られて電子データとして記憶されるとともに、転送部ＴＲへ送られる。転送部ＴＲではフィルムデータＤのユーザー情報３の依頼者の住所３１、電話番号３２、電子メールアドレス３３等の依頼者に関するデータに従ってインターネット等の汎用の通信ネットワークＩＮＴを介して電子メール等でユーザに画像フアィルの電子ファイルデータとして伝送される。
【００１６】
図２は本発明の画像ファイルシステムのユーザ側の動作を説明するための図である。
図２において、ＵＳは写真フィルムの現像を依頼したユーザーの所有する通信端末である。  ＦＲ１、ＦＲ２はそれぞれユーザーの友人が所有する通信端末である。ＩＮＴインターネット等の汎用の通信ネットワークである。各通信端末ＵＳ、ＦＲ１、ＦＲ２は汎用の通信ネットワークＩＮＴに接続され、ＩＮＴを介して図１に示した画像ファイルシステムのフィルム画像の処理部分の転送部ＴＲ及びフィルムデータ制御部ＦＣに接続されている。
【００１７】
このような構成を有する本発明の画像ファイルシステムのユーザ側の動作を説明すると次の通りである。
図１に示した画像ファイルシステムの電子ファイル制作部ＩＰで作製された電子データによる画像フアィルが転送部ＴＲから  インターネット等の汎用の通信ネットワークＩＮＴを介して電子メール等でユーザーの所有する通信端末ＵＳに画像フアィルの電子データとして伝送されれて来ると、ユーザは画像フアィルを参照して必要なものを選び焼き増しの依頼を行う。
【００１８】
焼き増しの依頼もユーザーの所有する通信端末ＵＳを使用して電子メール等で行なわれる。焼き増し等の依頼はユーザーの所有する通信端末ＵＳよりインターネット等の汎用の通信ネットワークＩＮＴを介して図１に示した画像ファイルシステムのフィルムデータ制御部ＦＣに送られる。
【００１９】
フィルムデータ制御部ＦＣは焼き増し等の依頼のデータに基づいて電子ファイルデータベースＩＤのデータにアクセスして依頼のフィルムＦを捜し出す作業を行う。電子ファイルデータベースＩＤの所有する電子画像、ユーザ情報、識別コード等のデータはリンクしているので、ユーザーからどのデータで依頼が来ても、フィルムデータ制御部ＦＣは、フィルム管理部ＦＢにおいて管理されているフィルムＦの検索を容易に行うことができる。
【００２０】
フィルムデータ制御部ＦＣは焼き増し等の依頼されたフィルムＦが見つかると、その結果をその他の依頼情報とともにフィルム管理部ＦＢに送る。フィルム管理部ＦＢは検索されたフイルムＦを焼き増し部ＦＤに送り、焼き増しが行なわれる。焼き増し部ＦＤで焼き増しが行われた写真はＭＬの郵送等で依頼者に送られる。
【００２１】
また、ユーザーの所有する通信端末ＵＳにインターネット等の汎用の通信ネットワークＩＮＴを介して接続された通信端末ＦＲ１，ＦＲ２を持っている焼き増し写真を必要とするユーザーの友人等には、依頼者は自己の所有する電子ファイルを通信ネットワークＩＮＴを介して送ることができる。電子ファイルを送られた人は電子画像ではなく焼き増しした写真で欲しいと思うものについては焼き増しの依頼を、電子ファイルの送り手のユーザ若しくは直接自己の所有する通信端末を使用してフィルム管理システムに対して行うことができる。
【００２２】
又、写真ファイルの編集に関しては、画像が電子データになっているので、図４に示すように、選択した写真１１と写真を載せる背景１２、タイトル文字とそののフォント１３等の選択を行いこれらを任意に組み合わせることによって、電子ファイルをよりアルバム的なものにすることが可能である。
【００２３】
又、そのような電子ファイルのデータを複数画像ファイルに添付することにより、後からユーザが好きな形のアルバムを電子的に作成することもできる。
【００２４】
【発明の効果】
以上の説明より明らかなように、本発明の画像ファイルシステムは写真撮影されたフィルム画像を電子画像に変換し、これに撮影日や場所等の付加情報を添付すして電子データとして保存管理し、又付加情報が添付された電子データを必要な場所に伝送するようにし、この電上記電子画像を所有する利用者からの依頼に応じて、上記電子画像に対応する写真フィルムの焼き増しを行うことができるような画像ファイルシステムを実現して、フィルム画像の管理を対応する電子画像で行う事によって、上記のような問題点を解消するようにしたものである。
【００２５】
このようなシステムを利用することにより、ユーザは送られてくる画像ファイルを自分のデータベースに蓄積していくだけで、整理されたアルバム状態で写真対応の画像の管理を行うことができ、且つより解像度の高い画像、すなわち写真が欲しいときは対応電子画像データを電子メールでシステム側に送り、焼き増し依頼をすることによって、希望の写真を手にいれることができる。
【図面の簡単な説明】
【図１】本発明の画像ファイルシステムのフィルム画像の処理部分の構成を示す説明図である。
【図２】本発明の画像ファイルシステムのユーザ側の動作を説明するための図である。
【図３】フィルムＦＩを処理するために必要なフィルムデータの例を示す。
【図４】電子ファイルにより作られたアルバムの例を示す。
【符号の説明】
ＣＡ・・・カメラ，      ＦＬ・・・撮影されたフィルム，      Ｆ・・・現像されたフィルム，      ＲＣ・・・撮影済みのフィルムの受け入れ部，
ＤＶ・・・フィルムを現像する現像部，      ＩＭ・・・現像されたフィルムの画像を電子画像に変換する電子画像部，      Ｄ・・・撮影済みのフィルムに関する各種のデータ，      ＩＰ・・・電子ファイル制作部，
ＩＤ・・・電子ファイルデータベース，      ＦＢ・・・フィルム管理部，
ＦＤ・・・焼き増し部，      ＭＬ・・・郵便等による輸送手段，
ＴＲ・・・転送部，      ＦＣ・・・フィルムデータ制御部，
ＩＮＴ・・・インターネット等の汎用の通信ネットワーク，
ＵＳ・・・通信端末，      ＦＲ１・・・通信端末，      ＦＲ２・・・通信端末
【図１】
0003932582.tif 000002
【図２】
0003932582.tif 000003
【図３】
0003932582.tif 000004
【図４】
0003932582.tif 000005